(57)【要約】【課題】  作業場所に応じて使用形態を変更することが可能な融着機を提供する。【解決手段】  融着機１は、光ファイバの融着及び加熱を行うことが可能な融着機構部３と、融着機構部３の操作等を行うことが可能な機能拡張部５とを有する。融着機構部３と機能拡張部５とが脱着可能である。融着機構部３は、融着部７及び加熱部９に電力を供給することが可能な第１バッテリと、融着部７及び加熱部９を制御する制御部を有する。機能拡張部５には、融着機構部３へ電力を供給可能な第２バッテリと、融着部７、加熱部９、操作部１１及び表示部１３等を制御する制御部と、融着機１の充電を制御するための充電制御部を有する。融着機構部３を機能拡張部５へ装着して使用する際には、融着機構部３は、第２バッテリで駆動可能である。一方、融着機構部３を機能拡張部５から外して使用する際には、融着機構部３は、第１バッテリで駆動可能である。【選択図】図２
2020201366.tif 000002
【特許請求の範囲】
【請求項１】
光ファイバ同士を接続する融着機であって、
前記融着機は、光ファイバの融着及び加熱を行うことが可能な融着機構部と、前記融着機構部とは着脱可能であり、前記融着機構部の操作を行うことが可能な機能拡張部と、
を具備し、
前記融着機構部は、光ファイバの融着を行う融着部と、光ファイバの接続部の加熱を行う加熱部と、前記融着部及び前記加熱部に電力を供給することが可能な第１バッテリと、を具備し、
前記機能拡張部は、前記融着機構部が装着された際に、前記融着部及び前記加熱部の操作を行うことが可能な操作部と、前記融着機構部へ電力を供給可能な第２バッテリと、を具備し、
前記融着機構部を前記機能拡張部から外して使用する際には、前記融着機構部は、前記第１バッテリで駆動可能であり、前記融着機構部を前記機能拡張部へ装着して使用する際には、前記融着機構部は、前記第２バッテリで駆動可能であることを特徴とする融着機。
【請求項２】
前記第２バッテリの容量は、前記第１バッテリの容量よりも大きく、
前記融着機構部を前記機能拡張部へ装着した際に、前記第２バッテリから、前記第１バッテリへ充電が可能であることを特徴とする請求項１記載の融着機。
【請求項３】
前記機能拡張部は、充電制御部を有し、前記融着機構部を前記機能拡張部へ装着した状態で前記機能拡張部を電源に接続した際に、前記充電制御部は、前記第１バッテリを優先して充電し、前記第１バッテリの充電が所定以上完了した状態で、前記第２バッテリの充電を開始することを特徴とする請求項１又は請求項２に記載の融着機。
【請求項４】
前記融着機構部は、第１記憶部を有し、前記融着機構部を前記機能拡張部から外して使用する際には、融着履歴情報又は加熱履歴情報を前記第１記憶部に記憶可能であり、
前記機能拡張部は、第２記憶部を有し、前記第２記憶部は、前記第１記憶部から転送される前記融着履歴情報又は前記加熱履歴情報を蓄積可能であることを特徴とする請求項１から請求項３のいずれかに記載の融着機。
【請求項５】
前記融着機構部は、第１記憶部を有し、前記第１記憶部は、前記操作部で設定され、前記機能拡張部から転送される融着条件情報又は加熱条件情報を記憶可能であることを特徴とする請求項１から請求項４のいずれかに記載の融着機。
【発明の詳細な説明】
【技術分野】
【０００１】
本発明は、光ファイバ同士を融着接続するための融着機に関するものである。
【背景技術】
【０００２】
光ファイバ同士の接続には、融着機が用いられる。融着機は、一対のホルダに保持された光ファイバ同士を突き合わせて、電極間に配置し、アークによって光ファイバ同士の先端を融着して、光ファイバ同士を接続するものである。
【０００３】
このような融着機は、融着部と加熱処理部とを有し、さらに、融着機を操作する操作部と、入力された各種設定やエラー警告などを表示する表示部とを備えるのが一般的である（例えば、特許文献１）。
【先行技術文献】
【特許文献】
【０００４】
【特許文献１】特開２０１１−９００３９号公報
【発明の概要】
【発明が解決しようとする課題】
【０００５】
このような融着機の表示部は、タッチパネル式の操作部として使用することができる。また、表示部に、融着部において撮像した画像を表示させることもできる。このため、表示部や操作部は、ある程度の大きさがある方が、見やすく、また使用しやすいため便利である。
【０００６】
しかし、光ファイバの融着作業は、必ずしも十分な広さを有する場所で行われるわけではない。例えば、電柱の上や、天井裏などの狭い場所で作業を行う必要がある場合がある。このような場合には、小型の融着機が望まれる。
【０００７】
しかし、複数の融着機を準備して、作業場所に応じて使い分けるのは効率的ではない。
【０００８】
本発明は、このような問題に鑑みてなされたもので、作業場所に応じて使用形態を変更することが可能な融着機を提供することを目的とする。
【課題を解決するための手段】
【０００９】
前述した目的を達するために本発明は、光ファイバ同士を接続する融着機であって、前記融着機は、光ファイバの融着及び加熱を行うことが可能な融着機構部と、前記融着機構部とは着脱可能であり、前記融着機構部の操作を行うことが可能な機能拡張部と、を具備し、前記融着機構部は、光ファイバの融着を行う融着部と、光ファイバの接続部の加熱を行う加熱部と、前記融着部及び前記加熱部に電力を供給することが可能な第１バッテリと、を具備し、前記機能拡張部は、前記融着機構部が装着された際に、前記融着部及び前記加熱部の操作を行うことが可能な操作部と、前記融着機構部へ電力を供給可能な第２バッテリと、を具備し、前記融着機構部を前記機能拡張部から外して使用する際には、前記融着機構部は、前記第１バッテリで駆動可能であり、前記融着機構部を前記機能拡張部へ装着して使用する際には、前記融着機構部は、前記第２バッテリで駆動可能であることを特徴とする融着機である。
【００１０】
前記第２バッテリの容量は、前記第１バッテリの容量よりも大きく、前記融着機構部を前記機能拡張部へ装着した際に、前記第２バッテリから、前記第１バッテリへ充電が可能であってもよい。
【００１１】
前記機能拡張部は、充電制御部を有し、前記融着機構部を前記機能拡張部へ装着した状態で前記機能拡張部を電源に接続した際に、前記充電制御部は、前記第１バッテリを優先して充電し、前記第１バッテリの充電が所定以上完了した状態で、前記第２バッテリの充電を開始してもよい。
【００１２】
前記融着機構部は、第１記憶部を有し、前記融着機構部を前記機能拡張部から外して使用する際には、融着履歴情報又は加熱履歴情報を前記第１記憶部に記憶可能であり、前記機能拡張部は、第２記憶部を有し、前記第２記憶部は、前記第１記憶部から転送される前記融着履歴情報又は前記加熱履歴情報を蓄積可能であってもよい。
【００１３】
前記融着機構部は、第１記憶部を有し、前記第１記憶部は、前記操作部で設定され、前記機能拡張部から転送される融着条件情報又は加熱条件情報を記憶可能であってもよい。
【００１４】
本発明によれば、融着機の操作部（タッチパネル式も含む）を有する機能拡張部に対して、融着部と加熱部を有する融着機構部を着脱可能とし、融着機構部に第１バッテリを搭載することで、融着機構部を単独でも駆動可能とすることができる。このため、狭隘な場所や高所での作業時には、融着機構部を機能拡張部から取り外して使用することができるとともに、通常の作業場所では、機能拡張部に融着機構部を取り付けた状態で作業を行うことができる。このため、１台の融着機を作業場所に応じて使用形態を変更して使用することができる。
【００１５】
また、融着機構部は、一部の狭隘な作業場所等で行う少数回の融着作業に対応可能であれば良いため、第１バッテリのサイズを小型化するができる。このため、融着機構部を小型化及び軽量化することができる。また、機能拡張部に搭載される第２バッテリの容量を、第１バッテリの容量よりも大きくし、融着機構部を機能拡張部へ装着した際に、第２バッテリから第１バッテリへ充電可能とすることで、使用時以外においては、融着機構部の充電を行うことができる。このため、複数の場所に移動して作業を行う場合においても、移動中に第１バッテリの充電を行うことができる。
【００１６】
また、機能拡張部に充電制御部を設け、融着機構部を機能拡張部へ装着した状態で機能拡張部を電源に接続した際に、第１バッテリを優先して充電するように制御することで、充電後直ちに融着機構部を単独で使用することができる。
【００１７】
また、融着機構部に第１記憶部を設けることで、融着機構部を機能拡張部から外して使用した際においても、融着履歴情報又は加熱履歴情報を第１記憶部に記憶可能とすることができる。また、機能拡張部に第２記憶部を設け、融着機構部を機能拡張部に取り付けた際において、第１記憶部から転送される情報を第２記憶部に蓄積可能とすることで、機能拡張部において、各情報を一括管理することができる。
【００１８】
また、融着機構部に第１記憶部を設け、機能拡張部から転送される融着条件情報又は加熱条件情報を記憶可能とすることで、融着機構部を機能拡張部に取り付けて条件設定を行った後、融着機構部を機能拡張部から外して使用した際において、当該設定条件によって融着作業を行うことができる。
【発明の効果】
【００１９】
本発明によれば、作業場所に応じて使用形態を変更することが可能な融着機を提供することができる。
【図面の簡単な説明】
【００２０】
【図１】融着機１の斜視図。
【図２】融着機構部３を機能拡張部５から取り外した状態を示す斜視図。
【図３】融着機１の構成を示すブロック図。
【図４】機能拡張部５をケース３５と一体化させた状態を示す図。
【発明を実施するための形態】
【００２１】
以下、図面を参照しながら、本発明の実施形態について説明する。図１は、光ファイバ同士を接続する融着機を示す斜視図である。融着機１は、光ファイバの融着及び加熱を行うことが可能な融着機構部３と、融着機構部３に対して相対的に大型であり、融着機構部３の操作等を行うことが可能な機能拡張部５とを有する。
【００２２】
融着機１は、融着機構部３と機能拡張部５とが脱着可能である。図２は、機能拡張部５から融着機構部３を取り外した状態を示す斜視図である。融着機構部３は、下面にコネクタ（図示せず）が配置され、機能拡張部５に設けられたコネクタ１５ａと接続可能である。
【００２３】
融着機構部３は、光ファイバの融着を行う融着部７と、光ファイバの接続部の加熱を行う加熱部９を有する。また、機能拡張部５は、融着機構部３が装着された際に、融着部７及び加熱部９の操作を行うことが可能な操作部１１と、各種の情報を表示する表示部１３を有する。
【００２４】
融着機１を用いて光ファイバを接続する際には、まず、融着機構部３の融着部７の風防を開き、予め光ファイバが保持された一対のホルダを、内部のホルダ載置部にセットする。これにより、ホルダの先端から突出する光ファイバの先端が、一対の電極間において互いに突き合わせられた状態となる。この状態で、風防を閉じ、一対の電極の間にアークを発生させることで、光ファイバの先端部を溶融して接合することができる。
【００２５】
光ファイバ同士の融着が終了すると、光ファイバ同士の接続部に補強部材を配置し、光ファイバとともに加熱部９にセットする。加熱部９において、光ファイバの接続部に配置された補強部材を加熱することで、補強部材の熱収縮チューブが収縮して接続部に固定される。以上により、光ファイバの接続部が補強されて、接続作業が完了する。
【００２６】
ここで、光ファイバの種類等に応じて、融着部７における融着条件は異なり、また、補強部材の種類に応じて、加熱部９における加熱条件は異なる。このため、融着機構部３と機能拡張部５とを接続した際には、操作部１１によって、接続対象の光ファイバ等の種類や、各種の条件設定の入力が行われる。また、これらの設定条件や、接続作業におけるエラー表示などは、表示部１３に表示される。なお、表示部１３がタッチパネル式の液晶パネルである場合には、表示部１３と操作部１１とは一体で構成される場合もある。
【００２７】
図３は、融着機１の構成を示すブロック図である。融着機構部３は、融着部７及び加熱部９に電力を供給することが可能な第１バッテリ２７と、融着部７及び加熱部９を制御する制御部２９（ＣＰＵ）を有する。また、制御部２９には、第１記憶部２５が接続される。第１記憶部２５は、融着部７の融着条件情報、融着履歴情報、加熱部９の加熱条件情報、加熱履歴情報等を記憶可能である。
【００２８】
また、融着機構部３には、簡易的な表示部３１が設けられる（図２参照）。例えば、表示部３１としては、融着機構部３の前面に複数の表示ランプが配置される。表示部３１は、融着機構部３の電源（図示せず）を入れた際の、電源ＯＮ表示及びバッテリ残量や、作業中、作業完了又はエラーなどの状態を表示可能である。なお、表示部３１は、制御部２９によって制御される。
【００２９】
機能拡張部５には、融着機構部３へ電力を供給可能な第２バッテリ１９と、融着部７、加熱部９、操作部１１及び表示部１３等を制御する制御部２３（ＣＰＵ）と、融着機１の充電を制御するための充電制御部２１を有する。また、制御部２３には、第２記憶部１７が接続される。第２記憶部１７は、融着部７の融着条件情報、融着履歴情報、加熱部９の加熱条件情報、加熱履歴情報等を記憶可能である。
【００３０】
また、前述したように、融着機構部３と機能拡張部５とは、コネクタ１５ａ、１５ｂで接続される。コネクタ１５ａ、１５ｂによって、融着機構部３と機能拡張部５との間で、電力の授受や各種情報の通信等を行うことができる。
【００３１】
次に、融着機１の機能について説明する。通常の使用時には、融着機構部３は機能拡張部５に取り付けられた状態で運搬及び使用が行われる。融着機構部３を機能拡張部５へ装着して使用する際には、融着機構部３は、第２バッテリ１９で駆動可能である。すなわち、機能拡張部５の第２バッテリ１９からコネクタ１５ａ、１５ｂを介して融着機構部３へ電力供給がなされる。なお、第２バッテリ１９は、第１バッテリ２７と比較して、十分に容量が大きく、例えば数百回の接続作業が行うことができる。
【００３２】
一方、融着機構部３を機能拡張部５から外して使用する際には、融着機構部３は、第１バッテリ２７で駆動可能である。第１バッテリ２７は、小型であるため、数十回程度の接続しか対応できないが、一カ所の狭隘な作業場所等での接続作業が可能であれば良いため、容量よりも小型軽量であることが要求される。
【００３３】
融着機構部３を機能拡張部５から外して使用した後に、融着機構部３を機能拡張部５へ装着すると、第２バッテリ１９から、第１バッテリ２７へ充電が可能である。例えば、充電制御部２１は、融着機構部３を機能拡張部５へ装着すると、第１バッテリ２７の容量が所定以下であれば、第２バッテリ１９から、第１バッテリ２７へ充電が行われる。したがって、次の作業場所への移動時には、第１バッテリ２７の充電が自動で行われ、次の作業場所において、融着機構部３を機能拡張部５から外して使用する際には、融着機構部３は、第１バッテリ２７で駆動可能である。
【００３４】
なお、融着機１は、機能拡張部５を外部電源に接続することで使用及び充電を行うことができる。ここで、融着機構部３を機能拡張部５へ装着した状態で機能拡張部５を外部電源に接続した際には、充電制御部２１は、第１バッテリ２７と第２バッテリ１９の残容量を検知し、第１バッテリを２７を優先して充電するように制御される。このため、短時間で融着機構部３を取り外して使用が可能となる。充電制御部２１は、第１バッテリ２７の充電が所定以上完了すると、第２バッテリ１９の充電を開始する。以上により、第１バッテリ２７と第２バッテリ１９の充電を行うことができる。
【００３５】
なお、第２記憶部１７には、各種の融着条件情報及び加熱条件情報等が保存されており、接続する光ファイバの種類等に応じて、操作部１１及び表示部１３を用いて設定を行うことができる。例えば、融着機構部３を機能拡張部５へ装着した状態で、操作部１１によって設定を行うと、制御部２３は、各情報を融着機構部３へ転送する。制御部２９は、機能拡張部５から転送される融着条件情報又は加熱条件情報を第１記憶部２５へ一時的に記憶させる。
【００３６】
その後、融着機構部３を機能拡張部５から取り外して使用する際には、制御部２９は、第１記憶部２５に記憶された条件情報によって、融着条件および加熱条件を設定し、接続作業を行うことができる。
【００３７】
また、融着機構部３を機能拡張部５から取り外して融着および加熱作業を行う際には、制御部２９は、融着履歴情報及び加熱履歴情報を第１記憶部２５に記憶させる。融着履歴情報は、融着を実施するたびに、融着条件、時間、さらに、内部カメラで撮像した画像又は動画等を含むものである。同様に、加熱履歴情報は、加熱を実施するたびに、加熱条件および時間等を含むものである。
【００３８】
その後、融着機構部３を機能拡張部５へ装着すると、制御部２９は、第１記憶部に記憶された融着履歴情報及び加熱履歴情報を読み出し、融着機構部へ転送する。制御部２３は、第１記憶部２５から転送される融着履歴情報及び加熱履歴情報を第２記憶部１７へ記憶させる。なお、上述の情報の通信は、融着履歴情報又は加熱履歴情報の一方のみでもよい。
【００３９】
このように、第２記憶部１７は、全ての情報を一括して蓄積することが可能である。このため、融着機構部３に設置される第１記憶部２５は、小容量でもよい。
【００４０】
以上、本実施の形態によれば、融着機構部３を機能拡張部５から取り外して使用することができる。このため、狭隘な作業場所や高所などでの作業時には、融着機構部３を取り外して持ち運ぶことができる。この際、融着機構部３が第１バッテリ２７を有するため、融着機構部３のみで接続作業を行うことができる。
【００４１】
また、融着機構部３を機能拡張部５に装着した際に、第１バッテリ２７は、大容量の第２バッテリ１９によって充電を行うことができる。このため、第１バッテリ２７の容量は、一カ所の狭隘な作業場所等で接続作業を行うための必要最小限でよく、融着機構部３を小型軽量化することが可能である。
【００４２】
また、外部電源と接続された際に、充電制御部２１によって、第１バッテリ２７の充電を優先させることで、充電後すぐに融着機構部３を取り外して使用することができる。この際、融着機構部３を取り外した状態でも、第２バッテリ１９の充電が可能である。
【００４３】
また、機能拡張部５には、表示部１３等が配置されるため、各種の設定の際や、画面で設定等を確認する場合には、大きな画面で各種情報を視認することができる。また、操作部１１も十分なサイズを確保することができるため、各種の条件設定などの操作も容易である。
【００４４】
また、融着機構部３に第１記憶部２５が配置されるため、機能拡張部５で設定した各種の条件情報を記憶させることができる。このため、融着機構部３を単独で使用する際の条件設定を機能拡張部５で設定し、この条件によって、融着機構部３のみで光ファイバの接続作業を行うことができる。
【００４５】
また、融着作業又は加熱作業を行った際の各履歴情報を第１記憶部２５に記憶しておき、機能拡張部５との接続時に第１記憶部２５の履歴情報を第２記憶部１７に転送することで、第２記憶部１７にて一括して全情報を管理することができる。
【００４６】
次に、第２の実施形態について説明する。図４は、融着機１ａの斜視図である。なお、以下の説明において、融着機１と同一の機能等を奏する構成については、図１〜図３と同一の符号を付し、重複する説明を省略する。
【００４７】
融着機１ａは、融着機１と略同様の構成であるが、機能拡張部５がケース３５と一体で構成される。すなわち、機能拡張部５は、融着機構部３を収容可能なキャリーケース状の形態であり、融着機構部３を機能拡張部５に装着して閉じることで、融着機１ａを容易に運搬することができる。
【００４８】
ケース３５には、機能拡張部５を外部電源や各種のケーブル、ＵＳＢ等と接続することが可能な端子３３が設けられ、各種のケーブル等がケース３５の内部の緩衝材を貫通する。したがって、機能拡張部５をケース３５から取り出すことなく、機能拡張部５を使用することができる。
【００４９】
通常の場所で作業を行う場合には、ケース３５を開くことで、そのまま光ファイバの接続作業を行うことができる。一方、狭隘な場所等で作業を行う場合には、融着機構部３を取り外して、単独で使用することができる。
【００５０】
以上、第２の実施形態によれば、第１の実施形態と同様の効果を得ることができる。また、機能拡張部５がケース３５と一体であるため、ケースから融着機を取り出して使用する必要がない。また、ケース３５を開くと、大きなスペースが必要となるが、作業の妨げとなる場合には、融着機構部３を取り外すことで、作業を容易に行うことができる。
【００５１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５２】
例えば、融着機構部３と機能拡張部５のコネクタを取り外した状態で、他のケーブルによって機能拡張部５と接続可能としてもよい。また、融着機構部３のみを持ち運ぶ際のベルトや取手を融着機構部３に設けてもよい。
【００５３】
また、第１記憶部２５と第２記憶部１７は、いずれも着脱可能なメモリであってもよい。また、機能拡張部５には、図示を省略した出力部（例えばＵＳＢコネクタなど）を配置し、第２記憶部１７の内部の情報を外部に取り出せてもよい。また、全ての情報を第１記憶部２５に集約してもよい。
【００５４】
また、機能拡張部５には、無線通信部を配置してもよい。このようにすることで、各情報を無線で他の端末に送信することができ、また、インターネットから無線でソフトのアップデートを行うことができる。また、融着機構部３に無線通信部を配置することで、機能拡張部５と融着機構部３との間で、無線で各種設定を行うことができる。また、融着機構部３を、他の携帯端末から遠隔操作を行うこともできる。
【符号の説明】
【００５５】
１、１ａ………融着機
３………融着機構部
５………機能拡張部
７………融着部
９………加熱部
１１………操作部
１３………表示部
１５ａ、１５ｂ………コネクタ
１７………第２記憶部
１９………第２バッテリ
２１………充電制御部
２３、２９………制御部
２５………第１記憶部
２７………第１バッテリ
３１………表示部
３３………端子
３５………ケース
【図１】
2020201366.tif 000003
【図２】
2020201366.tif 000004
【図３】
2020201366.tif 000005
【図４】
2020201366.tif 000006